(57)【特許請求の範囲】
【請求項１】
動画や音楽などの時間と共に移り変わる性質を有するコンテンツを、通信または放送によって送信すると共に、コンテンツの表示に合わせて表示させるための広告などの告知情報を取得するためのリンク情報を、通信または放送により送信し、
これ等を受信して、コンテンツは表示装置の表示画面のコンテンツ表示領域に表示し、これとは別にリンク情報は同表示画面のティッカ表示領域に表示するシステムであって、
送信側に：
コンテンツを記録するためのコンテンツ記憶部と、
コンテンツに関係付けたタグやキャプションなどの付帯情報を記録するための付帯情報記憶部と、
広告などの告知情報を取得するためのアドレス情報を記録するためのアドレス情報記憶部と、
クライアントコンピュータからのコンテンツ送信要求を受けてクライアントコンピュータの表示画面のコンテンツ表示領域に表示されるようにコンテンツ記憶部から読み出したコンテンツを通信によって送信するか、または放送スケジュールに従ってコンテンツ記憶部から読み出したコンテンツをテレビジョン受信機の表示装置の画面のコンテンツ表示領域に表示されるように放送する、コンテンツ送信手段と、
前記付帯情報記憶部の付帯情報と前記アドレス情報記憶部のアドレス情報とを比較して、付帯情報にマッチングするアドレス情報を選び出してリンク情報を作成するリンク情報生成手段と、このリンク情報をクライアントコンピュータの表示画面の、またはネットワーク接続されたテレビジョン受信機の表示画面の、ティッカ表示領域に表示されるように送信するか、またはテレビジョン受信機の表示画面の、ティッカ表示領域に表示されるように放送するリンク情報送信手段と、を備え、
受信側に：
表示装置の表示画面に、
通信または放送によって取得した、動画や音楽などの時間と共に移り変わる性質を有するコンテンツを表示するためのコンテンツ表示領域と、
通信または放送により取得した前記リンク情報を、時間と共に移り変わるように且つ入力装置で選択した時に前記告知情報を取得し得るように、表示するためのティッカ表示領域と、
を並べて表示する表示手段と、
を備えているリンク情報付きコンテンツの送受信システム。
【請求項２】
前記リンク情報は、アドレス情報の前記コンテンツ中での出現位置を定めたマーカが記載されたものであり、前記表示手段は、このマーカをリンク情報中に見つけた場合には、ティッカ表示領域に於いてアドレス情報に係るリンク情報の表示を前記マーカに基づいてコンテンツの表示に同期させるものである、請求項１に記載のリンク情報付きコンテンツの送受信システム。
【請求項３】
更にユーザーからのキーワードを受け付けて、コンテンツまたは告知情報を検索してキーワードにマッチングするコンテンツを索出するコンテンツ検索手段を備え、この検索結果のコンテンツをコンテンツ選択肢としてクライアントコンピュータの表示画面に提示するものである、請求項１に記載のリンク情報付きコンテンツの送受信システム。
【請求項４】
更に、各々のユーザーのティッカ表示領域上でのリンク情報の選択を受けてこのリンク情報に関連する告知情報を見出してこの告知情報へのリンク情報を各々のユーザーの嗜好に係るリンク情報として各々のユーザーの表示画面のティッカ表示領域に表示されるように送信するか、または多数のユーザーのティッカ表示領域上でのリンク情報の選択を受けてより多く選択されたリンク情報を見出してこのリンク情報を全てのユーザーの表示画面のティッカ表示領域に表示されるように送信する、請求項１に記載のリンク情報付きコンテンツの送受信システム。
【請求項５】
動画や音楽などの時間と共に移り変わる性質を有するコンテンツを、通信または放送によって提供すると共に、コンテンツの表示に合わせて表示させるための広告などの告知情報を取得するためのリンク情報を、通信または放送により提供する方法であって、
コンテンツと、コンテンツに付与したタグやキャプションなどの付帯情報と、広告などの告知情報を取得するためのアドレス情報と、を有すること、
コンテンツをクライアントコンピュータの表示画面の、またはテレビジョン受信機の表示画面の、コンテンツ表示領域に表示されるように送信すること、
このコンテンツの付帯情報にマッチングするアドレス情報を選び出してリンク情報を作成すること、
このリンク情報をクライアントコンピュータの表示画面の、またはネットワーク接続されたテレビジョン受信機の表示画面の、ティッカ表示領域に表示されるように送信すること、
を含むリンク情報付きコンテンツの提供方法。
【請求項６】
更にアドレス情報の前記コンテンツ中での出現位置を定めたマーカを、前記リンク情報に加えることを含む、請求項５に記載のリンク情報付きコンテンツの提供方法。
【請求項７】
更にユーザーからのキーワードを受け付け、コンテンツまたは告知情報を検索してキーワードにマッチングするコンテンツを索出すること、
この検索結果のコンテンツをコンテンツ選択肢として提示することを含む、請求項５に記載のリンク情報付きコンテンツの提供方法。
【請求項８】
更に、各々のユーザーのティッカ表示領域上でのリンク情報の選択を受けてこのリンク情報に関連する告知情報を見出してこの告知情報へのリンク情報を各々のユーザーの嗜好に係るリンク情報として各々のユーザーの表示画面のティッカ表示領域に表示されるように送信するか、または多数のユーザーのティッカ表示領域上でのリンク情報の選択を受けてより多く選択されたリンク情報を見出してこのリンク情報を全てのユーザーの表示画面のティッカ表示領域に表示されるように送信することを含む、請求項５に記載のリンク情報付きコンテンツの提供方法。
【請求項９】
請求項５乃至請求項８の何れか１に記載のリンク情報付きコンテンツの提供方法をコンピュータに実行させるプログラム。
【請求項１０】
請求項５乃至請求項８の何れか１に記載のリンク情報付きコンテンツの提供方法をコンピュータに実行させるためのプログラムを記録した、コンピュータ読み取り可能な記録媒体。
【請求項１１】
表示装置の表示画面に、
通信または放送によって取得した、
動画や音楽などの時間と共に移り変わる性質を有するコンテンツ、
を表示するためのコンテンツ表示領域と、
通信または放送により取得した、
前記コンテンツの付帯情報と、この付帯情報にマッチングする広告などの告知情報を取得するためのアドレス情報と、を関連付けたリンク情報、
を、ティッカ表示の内後記ティッカ表示領域の一側の端から他側の端に向けてスクロールさせて表示するようなティッカ表示によって且つ後記ティッカ表示領域に一時に複数個が表れているように且つ入力装置で選択した時に前記告知情報を取得し得るように、表示するための前記ティッカ表示領域と、
を、前記リンク情報が前記コンテンツ表示領域に溢れ出してコンテンツ表示領域を汚すようなことが起こらないように、前記コンテンツ表示領域と前記ティッカ表示領域とを、前記ティッカ表示領域が前記コンテンツ表示領域の外側にある別々な領域として、両者を近接させて並べて表示する表示手段を備えており、
この表示手段はリンク情報をコンテンツの表示に合わせて表示するものである、リンク情報付きコンテンツの表示装置。
【請求項１２】
更に前記表示手段は、アドレス情報の前記コンテンツ中での出現位置を定めたマーカをリンク情報中に見つけた場合には、ティッカ表示領域に於いてアドレス情報に係るリンク情報の表示を前記マーカに基づいてコンテンツの表示に同期させるものである、請求項１１に記載のリンク情報付きコンテンツの表示装置。
【請求項１３】
更に前記リンク情報を保存しておくためのリンク情報記憶部を備えている、請求項１１に記載のリンク情報付きコンテンツの表示装置。
【請求項１４】
通信または放送によって取得した、動画や音楽などの時間と共に移り変わる性質を有するコンテンツを、表示装置の表示画面のコンテンツ表示領域に表示すること、
通信または放送によって取得した、前記コンテンツの付帯情報と、この付帯情報にマッチングする広告などの告知情報を取得するためのアドレス情報と、を関連付けたリンク情報を、ティッカ表示の内後記ティッカ表示領域の一側の端から他側の端に向けてスクロールさせて表示するようなティッカ表示によって且つ後記ティッカ表示領域に一時に複数個が表れているように且つ入力装置で選択した時に前記告知情報を取得し得るように、前記表示画面の前記ティッカ表示領域に表示すること、
前記コンテンツ表示領域と前記ティッカ表示領域とを、前記リンク情報が前記コンテンツ表示領域に溢れ出してコンテンツ表示領域を汚すようなことが起こらないように、前記コンテンツ表示領域と前記ティッカ表示領域とを、前記ティッカ表示領域が前記コンテンツ表示領域の外側にある別々な領域として、両者を近接させて並べて表示すること、
リンク情報をコンテンツの表示に合わせて表示すること、
を含むリンク情報付きコンテンツの表示方法。
【請求項１５】
更にアドレス情報の前記コンテンツ中での出現位置を定めたマーカをリンク情報中に見つけた場合には、アドレス情報に係るリンク情報の表示を前記マーカに基づいてコンテンツの表示に同期させるようにすること、を含む請求項１４に記載のリンク情報付きコンテンツの表示方法。
【請求項１６】
更に前記ティッカ表示領域でリンク情報が入力装置によって選択された場合には、前記コンテンツ表示領域でのコンテンツの表示を一時停止するようにすること、を含む請求項１４に記載のリンク情報付きコンテンツの表示方法。
【請求項１７】
更に前記ティッカ表示領域でリンク情報が入力装置によって選択された場合には、前記コンテンツ表示領域でのコンテンツの表示を一時停止すると共に、少なくともこの時点よりコンテンツの録画を開始するようにして、次に一時停止が解除されたらこれ以降のコンテンツの表示では前記録画内容の再生表示を選択できるようにすること、を含む請求項１４に記載のリンク情報付きコンテンツの表示方法。
【請求項１８】
更に前記リンク情報を必要に応じて読み出し得るように保存しておくことを含む、請求項１４に記載のリンク情報付きコンテンツの表示方法。
【請求項１９】
請求項１４乃至請求項１８の何れか１に記載のリンク情報付きコンテンツの表示方法をコンピュータに実行させるプログラム。
【請求項２０】
請求項１４乃至請求項１８の何れか１に記載のリンク情報付きコンテンツの表示方法をコンピュータに実行させるためのプログラムを記録した、コンピュータ読み取り可能な記録媒体。
【請求項２１】
動画や音楽などの時間と共に移り変わる性質を有すると共に、タグやキャプションなどの付帯情報が関連付けされている、コンテンツを中継する中継装置であって、
広告などの告知情報を取得するためのアドレス情報を記録するためのアドレス情報記憶部と、
コンテンツを受信して、このコンテンツから前記付帯情報部分を抽出する付帯情報抽出装置と、
少なくともコンテンツの主要部をクライアントコンピュータの表示画面のコンテンツ表示領域に表示されるように、通信によって転送するか、またはクライアントコンピュータからコンテンツの送信側にコンテンツ送信要求を出させるようにするコンテンツ中継手段と、
前記付帯情報抽出装置で抽出された付帯情報と前記アドレス情報記憶部のアドレス情報とを比較して、付帯情報にマッチングするアドレス情報を選び出してリンク情報を作成し、このリンク情報をクライアントコンピュータの表示画面のティッカ表示領域に表示されるように通信により送信するリンク情報送信手段と、
を備えているコンテンツの中継装置。
【請求項２２】
動画や音楽などの時間と共に移り変わる性質を有すると共に、タグやキャプションなどの付帯情報が関連付けされている、コンテンツを中継する中継方法であって、
広告などの告知情報を取得するためのアドレス情報を有すること、
コンテンツを受信して、このコンテンツから付帯情報部分を抽出すること、
少なくともコンテンツの主要部をクライアントコンピュータの表示画面のコンテンツ表示領域に表示されるように、通信によって転送するか、またはクライアントコンピュータからコンテンツの送信側にコンテンツ送信要求を出させるようにして、コンテンツの中継を行うこと、
前記付帯情報と前記アドレス情報とを比較して、付帯情報にマッチングするアドレス情報を選び出してリンク情報を作成すること、
このリンク情報をクライアントコンピュータの表示画面のティッカ表示領域に表示されるように通信により送信すること、
を含むコンテンツの中継方法。
【請求項２３】
請求項２２に記載のコンテンツの中継方法をコンピュータに実行させるプログラム。
【請求項２４】
請求項２２に記載のコンテンツの中継方法をコンピュータに実行させるためのプログラムを記録した、コンピュータ読み取り可能な記録媒体。
【請求項２５】
コンテンツの送信側で処理されるリンク情報の提供方法であって、
動画のコンテンツの時々刻々の内容に合わせて付与された付帯情報としてのキャプションと、広告などの告知情報を取得するためのアドレス情報と、を有すること、
前記キャプションをインデクサによる分かち書きやスペース区切りなどの処理によって単語や熟語からなる複数個のトピックを得ること、
後記表示画面での前記キャプションの表示開始に合わせて後記ティッカ表示領域に後記リンク情報の表示が開始されるようにするために、前記トピックを得る元となった前記キャプションに付された表示開始時間すなわち前記トピックのコンテンツ中の時間軸上での出現位置を調べて、各々のトピックの出現位置を特定すること、および各々のトピックにマッチングするアドレス情報を選び出して前記表示開始時間を付し、出現位置情報を有するリンク情報を作成すること、
このリンク情報をクライアントコンピュータの表示画面の、またはネットワーク接続されたテレビジョン受信機の表示画面の、ティッカ表示領域に表示されるように送信するか、またはテレビジョン受信機の表示画面の、ティッカ表示領域に表示されるように放送すること、
を含むリンク情報の提供方法。
【請求項２６】
動画のコンテンツを構成する複数個のフレームの内の何れかのフレームに付与されたこのフレームの内容を表わすタグやコメントなどの付帯情報と、広告などの告知情報を取得するためのアドレス情報と、を有すること、
前記フレームに付与されている付帯情報を検索して付帯情報にマッチングするアドレス情報を選び出して、マッチングした付帯情報が属するフレームのコンテンツ中での出現位置を示すフレーム位置情報を含めたリンク情報を作成すること、
このリンク情報をクライアントコンピュータの表示画面の、またはネットワーク接続されたテレビジョン受信機の表示画面の、ティッカ表示領域に表示されるように送信するか、またはテレビジョン受信機の表示画面の、ティッカ表示領域に表示されるように放送すること、
を含むリンク情報の提供方法。
【請求項２７】
請求項２５または請求項２６に記載のリンク情報の提供方法をコンピュータに実行させるプログラム。
【請求項２８】
請求項２５または請求項２６に記載のリンク情報の提供方法をコンピュータに実行させるためのプログラムを記録した、コンピュータ読み取り可能な記録媒体。
【請求項２９】
動画のコンテンツを記録しておくためのコンテンツ記憶システムと、予めコンテンツを構成するフレームに広告などの告知情報へのリンク情報を付与しておくためのリンク情報入力システムと、前記リンク情報を受信側の表示画面のティッカ表示領域に表示されるように送信するまたは放送するリンク情報送信システムと、とから構成されるシステムであって、
前記コンテンツ記憶システムは、動画のコンテンツを記録しておくためのコンテンツ記憶部を備え、
前記リンク情報入力システムは、前記コンテンツ記憶部から読み出したコンテンツを表示する表示装置と、前記コンテンツを表示しながら、コンテンツを構成する複数個のフレームの内の任意フレームに、このフレームの内容からトピックを見出してこのトピックに関連する広告などの告知情報へのリンク情報を付すべく、このリンク情報を入力するためであると共に、前記トピックがどのフレームに出現しているかを示す出現フレーム情報としてのマーカを、または前記トピックが出現しているコンテンツ中の時間軸上での出現位置情報としてのマーカを、前記リンク情報に加えるための入力装置と、この入力されたリンク情報を記録するためのリンク情報記憶部と、を備え、
前記リンク情報送信システムは、リンク情報を前記リンク情報記憶部から読み出して、クライアントコンピュータの表示画面の、またはネットワーク接続されたテレビジョン受信機の表示画面の、ティッカ表示領域に表示されるように送信する送信装置、またはテレビジョン受信機の表示画面の、ティッカ表示領域に表示されるように放送する放送装置、を備え、
ていることを特徴とするリンク情報の提供システム。
【請求項３０】
動画のコンテンツを記録しておくためのコンテンツ記憶システムと、予めコンテンツを構成するフレームに広告などの告知情報へのリンク情報を付与しておくためのリンク情報入力システムと、前記リンク情報を受信側の表示画面のティッカ表示領域に表示されるように送信するまたは放送するリンク情報送信システムと、とから構成されるシステムであって、
前記コンテンツ記憶システムは、動画のコンテンツを記録しておくためのコンテンツ記憶部を備え、
前記リンク情報入力システムは、前記コンテンツ記憶部から読み出したコンテンツを表示する表示装置と、前記コンテンツを表示しながら、コンテンツを構成する複数個のフレームの内の任意フレームに、このフレームの内容からトピックを見出してこのトピックに関連する広告などの告知情報へのリンク情報を付すべく、このリンク情報を入力するための入力装置と、この入力されたリンク情報を記録するためのリンク情報記憶部と、を備え、
前記表示装置はコンテンツの表示を任意のフレームで一時停止させる一時停止機能を備えており、前記リンク情報入力システムは前記トピックの出現位置を、コンテンツの表示が一時停止された位置のフレームのコンテンツ中での出現位置を示すフレーム位置情報またはトピックのコンテンツ中の時間軸上での出現位置情報を用いて、前記リンク情報に加えるためのものであり、
前記リンク情報送信システムは、リンク情報を前記リンク情報記憶部から読み出して、クライアントコンピュータの表示画面の、またはネットワーク接続されたテレビジョン受信機の表示画面の、ティッカ表示領域に表示されるように送信する送信装置、またはテレビジョン受信機の表示画面の、ティッカ表示領域に表示されるように放送する放送装置、を備え、
ていることを特徴とするリンク情報の提供システム。
【発明の詳細な説明】
【技術分野】
【０００１】  これまでテレビジョン放送やインターネットの動画配信サービスでは、時々刻々と移り変わる場面場面のその時々の内容に合わせた広告などの告知情報を次々と提供して、ユーザーがこれらにいつでもアクセス出来るようにすると言うようなことはそもそも考えられたことがなかった。初めてこの点に着目したのが当発明者であるが、時々刻々と変化して行く告知情報をどのようにしたら提供することが出来るのかの解決は困難であった。この発明はこのような問題に係るものである。【０００２】  すなわち本発明は、インターネットなどのネットワークを介したダウンロード形式やストリーミング放送形式のようなネットワーク型配信によって（通信によって）、動く映像いわゆる動画や時に連れる音楽などのデジタル化されたコンテンツをユーザーに提供したり、放送によって番組コンテンツをユーザーに提供する際に、これ等のコンテンツに係る広告などの告知情報を取得するためのリンク情報を、コンテンツの提供に合わせてユーザーに提供する技術に関する。またユーザー側に於いて動画等コンテンツ再生窓とティッカ式リンク情報表示窓とを並べて設けると言う画期的な技術に関する。なお上記デジタル化されたコンテンツデータのことをコンテンツと呼ぶことにする。
【背景技術】
【０００３】  ユーチューブ（商標）に代表される動画共有サービスが大躍進を遂げ、テレビジョン放送で放送済みの映像をＩＰ（インターネット・プロトコル）網を利用したネットワーク型配信によって再利用したり、放送と同時に再送信したり、初めからネットワーク型配信のための番組を制作する動きが活発化している。しかしながらインターネットでは概して無料のサービスが多く、コンテンツのネットワーク型配信に課金することは大変に難しい。そこで多くの動画提供サイトではいわゆるディスプレイ型のバナ−広告やテキスト広告が用いられている。【０００４】  民放局は番組中に広告を挿入して放送しているが、広告部分をスキップして番組のみを視聴可能にする録画技術によってテレビコマーシャルの崩壊が叫ばれ出し、現実にスポンサーが放送に掛ける広告支出が減少し始めている。視聴者ユーザーにしてみれば、好きな広告は見たいが、殆どの広告は見たくないと言うのが本音である。そこで特開２００５−１８４１８３号では、受信した好みのコマーシャルを記憶しておき、テレビ番組を受信している状態でコマーシャルが開始されたら、この記憶しておいた好みのコマーシャルに差し替えて再生するようにしている。また前記受信した好みのコマーシャルを放送局のセンタ装置に通知して、これと同種のコマーシャルを通信によって取得しておき、これを上記のように差し替えて再生するようにしている。これにより実質的に広告部分のスキップ視聴をなくそうと言うのである。
【特許文献１】特開２００５−１８４１８３号（図２、図４）
【非特許文献１】ユーチューブ（商標）のインターネットＷＷＷサイト＜ＵＲＬ：ｈｔｔｐ：／／ｗｗｗ．ｙｏｕｔｕｂｅ．ｃｏｍ／＞
【発明の開示】
【発明が解決しようとする課題】
【０００５】  ＩＰ網を利用したネットワーク型配信の場合、コンテンツはユーザーのクライアントコンピュータの表示画面のコンテンツ表示エリアに表示し、広告に付いてはコンテンツ表示エリアの中の上側や右側の比較的狭い広告表示エリアにバナ−広告などとして表示している。テレビジョン放送の場合には、一般的には番組もコマーシャルも画面の全体を使って広く表示しているため、コマーシャルは番組の間間に挿入される。これは特開２００５−１８４１８３号でも同様である。【０００６】  ＩＰ網を利用したネットワーク型配信では殆どが広告スキップを出来ないようにしている。テレビジョン放送の場合は広告スキップを防ぐ手立てがないことから、ドラマの中に商品広告を組み込んだ（プロダクト・プレースメントいわゆるドラマ内広告）番組を制作する試みがなされている。しかしながらこれがどれほどの効果を奏するかは未知である。またコマーシャルは言わばコンテンツのタイトルあるいは放送時間の枠に対して付けられるものであるから、１つのコンテンツに極めて多数のコマーシャルを割り振ることは不可能である。しかしながら上述した押し付けがましい広告ではなく視聴者が見たいと欲する広告を提供することが出来るのであれば、例えばドラマが時間軸に沿って進行して行く間にも、この男優のＣＤが欲しい、この女優が履いている靴を買いたい、いま流れている曲の題名が知りたい、等々時々刻々浮かぶアイデアに対して適時適切な情報を提供することが出来るのであれば、これが正しく効果的な広告であり、番組にスポンサーを付けると言う意味自体が変わってしまうことは間違いない。そしてこのような適時適切に提供される多数の情報から気になる情報をユーザーが自分の意志で選択出来れるとなればこれほど素晴しいことはない。またネットワーク型配信でユーザーが投稿する動画コンテンツなどにも広告を付けることが出来るが、これに付いてもコンテンツに関連する多数の情報を、コンテンツが時間軸に沿って移り変わるのと同様に、時間軸に沿って提供してユーザーの意志で選択させることを可能にしたいものである。【０００７】  何れにせよ従来のように番組の間間にコマーシャルを挿入したり、ドラマ内広告にしたり、バナー広告を表示したりするやり方では、そこに盛り込める広告の情報量があまりにも少なすぎるため、ユーザーの意志で見たい広告を選択させることは不可能であり、従って押し付け的な広告を見せるしか手がないのである。結局コマーシャルは詰らないものと言う意識が固定されてしまっている。これは広告に限らずニュースやお知らせなどユーザーに告知したい内容を掲載する場合でも同様である。従って本発明はこのような問題の解決を課題とする。
【課題を解決するための手段】
【０００８】  この問題に付いて鋭意研究する内に、コンテンツに関係のあるたくさんの広告をユーザーに提供して、その中からユーザーの意志で広告を選択してもらえるようにすること、広告はコンテンツの進行に合わせて進行して行くようにすること、そして可能であればコンテンツ進行中のその時々の内容にマッチする内容の広告を得ることが出来るようにすることが重要であるとの認識に至った。従ってコンテンツを表示するクライアントの側に於いても広告をコンテンツの進行に合わせて進行するように表示出来なくてはならない。【０００９】  上記課題は、動画や音楽などの時間と共に移り変わる性質を有するコンテンツを、通信または放送によって送信すると共に、コンテンツの表示に合わせて表示させるための広告などの告知情報を取得するためのリンク情報を、通信または放送により送信し、これ等を受信して、コンテンツは表示装置の表示画面のコンテンツ表示領域に表示し、これとは別にリンク情報は同表示画面のティッカ表示領域に時間と共に移り変わるように表示する、リンク情報付きコンテンツの送受信システムとすることによって解決される。広告などの告知情報を単にティッカ表示領域に表示するものも考えられるが、これでは表示が流れて見えると言うだけで、ＷＷＷページにバナー広告を貼り付けるのと何等変わるところがないわけである。ところがこの発明のティッカ表示領域にはコンテンツ進行中のその時々の内容にマッチする内容の告知情報がリンク情報として次々に出現して来るので、ここに大きな価値があると言うことが出来る。【００１０】  送信側は、コンテンツを記録するためのコンテンツ記憶部と、コンテンツに関係付けたタグやキャプションなどの付帯情報を記録するための付帯情報記憶部と、広告などの告知情報を取得するためのアドレス情報を記録するためのアドレス情報記憶部と、クライアントコンピュータからのコンテンツ送信要求を受けて、クライアントコンピュータの表示画面のコンテンツ表示領域に表示されるようにコンテンツ記憶部から読み出したコンテンツを通信によって送信するか、または放送スケジュールに従ってコンテンツ記憶部から読み出したコンテンツをテレビジョン受信機の表示装置の画面のコンテンツ表示領域に表示されるように放送する、コンテンツ送信手段と、前記付帯情報記憶部の付帯情報と前記アドレス情報記憶部のアドレス情報とを比較して、付帯情報にマッチングするアドレス情報を選び出してリンク情報を作成するリンク情報生成手段と、このリンク情報をクライアントコンピュータの表示画面の、またはネットワーク接続されたテレビジョン受信機の表示画面の、ティッカ表示領域に表示されるように送信するか、またはテレビジョン受信機の表示画面の、ティッカ表示領域に表示されるように放送するリンク情報送信手段と、を備えている。後述する受信側でどのような受信処理を行うにしても、結果的にコンテンツの送信側と受信側表示装置のコンテンツ表示領域との間でコンテンツの送受信を行ない、また結果的にリンク情報の送信側と受信側表示装置のティッカ表示領域との間でリンク情報の送受信を行なうことになる。【００１１】  近年のテレビジョン放送では、テレビジョン受信機の画面にクローズドキ���プション（ｃｌｏｓｅｄ  ｃａｐｔｉｏｎｉｎｇ）などの文字多重放送による付帯情報が表示されるようになっている。また前出ユーチューブ（商標）に投稿された動画には制作者によって複数個のタグが、この動画の内容を端的に表現する付帯情報として付されている。また閲覧者がタグを追加するように設計することが可能である。一実施形態としてこのタグを付帯情報として番組コンテンツに付与することが出来る。また現在テレビ番組中に表示している検索用のキーワードを付帯情報として用いても良い。なおこれ等のタグは一般的には文章ではなく単語や熟語である。あるいはクローズドキャプションや、動画に付けられた説明文を、インデクサによる分かち書きやスペース区切りなどの処理によって単語や熟語からなるトピックにすることや、番組や動画の音声認識を行ってテキスト化し、ここからトピックを取り出すようなことも可能である。なおこの際にトピックに重み付けをして意味解釈を行ったり、適切なフィルタを用いて不要なトピックを除去したりすることも行われている。【００１２】  コンテンツと付帯情報とは別々のデータであるが、クローズドキャプションのようにコンテンツに多重化（一体化）して取り扱われる場合がある。一実施形態としてコンテンツと付帯情報とを別々に取り扱うが、番組や動画などのコンテンツはコンテンツ記憶部に記録しておき、このコンテンツに付帯するタグ等の付帯情報は付帯情報記憶部に記録しておく。このコンテンツ記憶部と付帯情報記憶部は、別々の記憶装置上に設けられたり同一の記憶装置上に設けられたりする。また次に述べるアドレス情報記憶部に関しても同様である。なお付帯情報が文章である場合に、一例この文章をインデクサに掛けたり意味解釈処理したりするが、予めこれを行った上で付帯情報記憶部に記録しておくことも、あるいは後述する付帯情報とアドレス情報とを比較して付帯情報にマッチングするアドレス情報を選び出してリンク情報を生成する際に、付帯情報記憶部から読み出してこれを行うように設計することも可能である。【００１３】  広告などの告知情報を取得するためのアドレス情報はアドレス情報記憶部に記録しておく。アドレス情報は識別情報であり、一実施形態として広告主のＷＷＷ（Ｗｏｒｌｄ  Ｗｉｄｅ  Ｗｅｂ）ページのＵＲＬ（Ｕｎｉｆｏｒｍ  Ｒｅｓｏｕｒｃｅ  Ｌｏｃａｔｏｒ）とこのページの表題との組であり、これ等が記載されたテキストファイルがアドレス情報記憶部に記録される。なおＵＲＬと表題の他に、検索用のキーワードやキャッチフレーズや広告主としての広告支出順位などをアドレス情報に加えることができる。この場合にはキーワードを付帯情報との比較に用いる実施形態を上げる。【００１４】  ところでインターネット広告の分野にいわゆる検索連動型広告と言うものがあり、これはユーザーが検索したキーワードにマッチングさせた広告を検索結果のページに表示するものである。またいわゆるコンテンツ連動型広告と言うものがあり、これはＷＷＷサイトに含まれる単語などからこのサイトの内容を解析して、サイトの内容に合致する広告をこのサイトのＷＷＷページに表示するものである。本発明では一実施形態として、コンテンツに付与したタグやキャプションや音声認識結果のテキストデータなどの付帯情報に付いて、上記キーワードマッチングしたりコンテンツマッチングする告知情報へのリンク情報を生成する。このような技術は現在では一般化しているため煩雑となるのを避けてその詳細な説明を省略するが、特表２００５−５２１９７１や特表２００６−５００６９８が参考になる。なおこの分野の将来のより優れた技術を採用して良いことは勿論である。こうして生成されたリンク情報には、一実施形態として、表題と広告主のＷＷＷページのＵＲＬとが記載されるが、このリンク情報はこれをクライアントコンピュータのティッカ表示領域上でマウスなどの入力装置によって選択された時に、広告主のＷＷＷページにアクセスすることが出来るようにするためにハイパーリンク形式で記述される。また一実施形態として、このリンク情報はこれを同ティッカ表示領域上でマウスなどでクリックされた時に、この表示中のコンテンツに関連が深い他のコンテンツにアクセスし得るようにするためにハイパーリンク形式で記述される。或いはスイッチをティッカ表示領域に表示させ、このスイッチがマウスなどで選択されたら、プログラムがこのスイッチのリンク情報に含まれるアドレス情報を解釈して対応するＷＷＷページや動画コンテンツ等にアクセスするように設計することが出来る。また一実施形態として、表題は文字以外にもイメージとすることが可能である。ティッカ表示領域にイメージファイルを送信したり、このイメージファイルを取得出来るＵＲＬを送信するのである。【００１５】  このリンク情報を、前記コンテンツの送信に合わせて、或いはクライアントコンピュータからの送信要求に従うなどして、リンク情報送信手段を用いてクライアントコンピュータの表示画面の、またはネットワーク接続可能なテレビジョン受信機の表示画面の、ティッカ表示領域に表示されるように送信するか、またはテレビジョン受信機の表示画面の、ティッカ表示領域に表示されるように放送する。後述するがティッカ表示領域には付帯情報に対応したリンク情報が、一例としてスクロールするように表示されるから、ユーザーはこれに関連しているコンテンツを楽しみながら、気になるリンク情報が見つかったならばこれを選択するだけで、付帯情報に対応した告知情報を得ることが出来るのである。なお一実施形態としてコンテンツに作成したリンク情報を合成して送る場合もあるが、この場合にはコンテンツ送信手段とリンク情報送信手段とを一体のものとして考えることが出来る。一例としてコンテンツの表示領域の上縁部外側にティッカを表示するための帯状の領域を追加しておき、ここにリンク情報をクリッカブルに合成するのである。なおこの際に両者間に境界線を合成するようにしても良い。動画に合成した場合でもリンク情報は動画の表示の進行に伴ってティッカのように流れて見える。【００１６】  その受信側であるが、コンテンツを表示するためのコンテンツ表示領域とリンク情報を表示するためのティッカ表示領域とを、表示装置の表示画面に並べて表示する、表示手段を備えている。コンテンツは、通信または放送によって取得され、動画や音楽などの時間と共に移り変わる性質を有するものである。このコンテンツの受信に合わせてリンク情報が通��または放送により取得される。このリンク情報は、付帯情報にマッチングする、広告などの告知情報を取得するためのアドレス情報と、前記付帯情報と、を関連付けた一例ハイパーリンク形式のものであり、ティッカ表示領域には時間と共に移り変わるように且つ入力装置で選択可能となるように表示されるものである。一実施形態として、コンテンツもリンク情報も共に通信によって取得する場合に、両者を一括して受信してからコンテンツ部分はコンテンツ表示領域に、リンク情報部分はティッカ表示領域に振り分けて渡す設計が可能であり、または各々の表示領域に直接渡すべく、最初から別々に受信する設計が可能である。またコンテンツの受信とリンク情報の受信とが時間的にずれたような場合には、一例としてコンテンツの表示を優先させてリンク情報は届き次第表示するようにしたり、リンク情報が届くのを待って両者を表示開始するようにしたりする。またこのような選択肢を提示してユーザーが選択し得るように設計することも可能である。【００１７】  インターネットなどのネットワークに接続されたコンピュータは、通信によってコンテンツを取得するものであるが、テレビジョン受信機を備えることで放送のコンテンツを取得することが出来る。いわゆるワンセグ放送では、テレビジョン受信機は携帯電話機、電子辞書、携帯型ＤＶＤプレーヤや音楽プレーヤなどにも備えられている。後述する中継装置に付いても同様である。携帯電話機などはいわゆるネット接続が可能となっているから、通信でも放送でも動画や番組などのコンテンツを取得し得る。一方テレビジョン受信機でもインターネットに接続するものがあり、やはり両方の経路からコンテンツを取得することが出来るようになっている。コンテンツやリンク情報はこのような機器の表示画面に表示され、コンテンツはコンテンツ表示領域に、リンク情報はティッカ表示領域に、と分けて並べて表示される。コンテンツの付帯情報の一例として、コンテンツに付与されたタグやキャプション、コンテンツの音声部分を音声認識した結果のテキストデータなどを上げたが、何れもコンテンツの内容と密接に関連している。ユーザーはティッカ表示領域に時間と共に移り変わって表示される幾つものリンク情報の中から興味あるものを選択することでその情報に容易にアクセスすることが出来る。また最近のテレビ広告では広告の最後にタグを表示して、インターネットでこのタグをキーワードとして検索してもらうと言う試みがなされているが、このような意味合いのタグがコンテンツの付帯情報に加えられていれば、このリンク情報を一例ハイパーリンクとしてティッカ表示領域に現わすことが出来るため、これから直ぐに告知情報にアクセスすることが出来る。またこのタグをキーワードとして検索した検索結果のページ（各種辞書を横断検索した結果を表示するページなどを含む）に誘導することも可能である。或いはこのタグから掲示板などへも誘導し得る。【００１８】  本発明の表示装置の特長は、告知情報へのリンク情報をティッカ表示領域に表示するため、どんなに多くの数のリンク情報を取得したとしても、全体を部分部分に分けて一部分ずつを、ある程度一定の時間間隔で差し替えて、いわゆるティッカ表示によって次々と���示して行くことが出来る点にある。従って極めて多数のタグなどのトピックを関連付けることが可能である。ティッカとしては文字をスクロールさせて（流すようにして）表示するものや、ティッカ表示領域に一度に表示し得るボリュームの文字列を一定時間停止させて表示し、その後、後続の別内容の文字列に切り替えて表示するものなどが実現可能である。ティッカ表示する文字列はアニメーションで表示するようにしても良い。ティッカ表示する文字の背景を表示中のコンテンツの平均的な色調で表わすようにしても良い。またリンク情報をクリッカブルな静止画やフラッシュ（商標）などによる動画としてティッカ表示するものであってもよい。ただでさえ狭いと感じられる表示画面であるからコンテンツを表示するのに表示画面は出来るだけ広くして使いたいとする要望が多いが、ティッカは殆ど場所を取らずに、また従来では納め切れないほどの極めて多くの情報を表示するのに実に都合が良いものである。すなわちティッカ表示されたリンク情報によればバナー広告やテキスト広告を置くよりもずっとずっと多くの情報を、限られた表示領域に掲載することが可能である。そしてこのリンク情報から一例としてＷＷＷブラウザを用いて更に情報量の豊富な告知情報を得ることが出来るのである。なおティッカ表示では１度だけ流れるように表示させたり、１度ループさせてからループを抜けるように表示させたり、エンドレスでループさせたりするなどと、任意に設定することが出来る。またティッカ表示窓に登場させるタイミングの調節も可能である。また複数のリンク情報をティッカ表示するに当っては、リンク情報間の間隔をリンク情報の多少や詰り具合や空き具合等で自動調節したり、時間マーカが付いているものを付いていないものに優先させたり、マーカの時間が重なるものを調整したりと、自由な設定が可能なのもティッカ表示ならではである。【００１９】  また本発明では、コンテンツ表示領域とティッカ表示領域とが一緒に表示画面に表示されており同時に見ることが出来るため、見ていてコンテンツの内容と告知情報（へのリンク情報）の内容とが一致していることが分かる。特にキャプションや音声認識結果から得られる言葉にマッチングさせた告知情報は、コンテンツと内容が一致しているのみならず、コンテンツの進行と略一致させて表示し得る点が重要である。なおコンテンツ表示領域とティッカ表示領域とを並べて表示することに付いて、コンテンツ表示領域としてのコンテンツ表示窓とティッカ表示領域としてのティッカ表示窓とを別々な窓として設けて両者を近接させたり、一つの表示窓を２つの領域に区切って設けて一方をコンテンツ表示領域とし他方をティッカ表示領域とたり、コンテンツ表示領域の中のコンテンツ表示の邪魔になりにくい箇所に窓を開けてここにティッカ表示領域を組み込んで設けたり、と任意な設計が可能である。好ましくは別々な窓として設けて両者を近接させることである。その何れにしても、告知情報の数が増加しようともいかに多くとも、告知情報は決められたティッカ表示領域内に納められており、これが溢れ出してコンテンツ表示領域を汚すようなことが起らない。このことはテレビジョン受信機などのキャプション表示領域をティッカ��示領域に転用或いは併用した場合でも同様である。なおキャプションそのものをハイパーリンクとする考えもあるが、キャプションは表示されている時間が極めて短く直ぐに次のキャプションに移ってしまうため、ユーザーが容易に選択し得るようなものではないが、リンク情報に丸めてティッカ表示したものであれば動きを比較的に遅くすることが出来るため選択は極めて容易である。そこにティッカ表示の先進性と有効性とが見られるのである。なお本発明のコンテンツ表示領域とティッカ表示領域とを、第三者のＷＷＷ文書にエンベットさせて表示するように設計することも可能である。従って本発明の表示装置はハードディスクや半導体メモリなどの記憶装置にインストールしておき必要に応じて起動させるタイプのものや、インターネットなどを経由するいわゆるネットワークローダブルなソフトウェアとしても実現することが出来る。【００２０】  なお一般的なプログラミング作法としてコンテンツ表示領域もティッカ表示領域も表示画面から隠したり現わしたりすることが出来るが、そのように設計してもよい。すると一実施形態としてコンテンツ表示領域を隠してティッカ表示領域を表示しておくと言う使い方が可能になる。また表示の一実施形態としてティッカ表示領域のリンク情報が選択された時に、コンテンツ表示領域に告知情報を表示するようにしたり、コンテンツ表示領域の別窓やＷＷＷブラウザの別窓を立ち上げてここに告知情報を表示するように設計することが出来る。なおそれ等の窓にもティッカ表示領域を設けることが可能であり、ここにも本発明の優秀さが現われている。またリンク情報が選択された際には通信ならばコンテンツ表示を一時停止させることが出来るように仕組んだり、放送ならば録画やいわゆる追いかけ再生の仕組みを導入することが可能である。これにより続きから再生出来るようになる。またティッカ表示のみ一時停止させる機能を付けたり、ティッカ表示の内容を一時記録しておき、コンテンツの表示中にティッカ表示だけ巻き戻して見るようにすることも可能である。また各表示領域のサイズを可変としたり、新たに立ち上げる表示領域をカスケード表示にするなどの設計も可能である。なおリンク情報が選択された後に告知情報をどのように表示するかは任意設計事項である。【００２１】  更に前記リンク情報を保存しておくためのリンク情報記憶部を備えているものとすることが出来る。コンテンツがそうであるようにリンク情報もその表示が時間と共に移り変わって行く。従ってリアルタイムで告知情報を利用するのでない限り、後からではリンク情報が失われてしまう場合もシステムの設計如何であり得る。しかしながらユーザーが自らの意志で選んだコンテンツに関しては、その中に登場しているさまざまなものに関して更に詳しい情報が欲しくなるものである。そのような場合にこの保存されたリンク情報を再利用させることで、例えばコンテンツを消費した後の時間をその広告のために費やすように誘導することが出来る。そこでリンク情報を必要に応じて読み出し表示し得るように保存しておくのである。なおこの際の表示はティッカ表示で良いが、リアルタイムで見るのとは異なるため全リンク情報一覧のような大きな表示であっても良い。ま���後述するマーカが記載されたものであれば、このマーカごとリンク情報を保存することも可能である。またこのようにして保存されたリンク情報をユーザーが取捨選択して再保存し得るような編集手段を設けても良い。そこで更に検索手段を設けるなどすると便利である。コンテンツのシーンに合わせて見つけやすくするとなお良い。また他の実施形態として、ユーザーからのキーワードを受け付けておき、これにマッチングするリンク情報がティッカ表示領域に登場して来たら、そのリンク情報を他のものより目立たせて表示するような設計も可能である。これによりコンテンツ表示領域に於いてただいま気になる場面に遭遇していることをユーザーに知らせることが出来る。なおリンク情報の保存に当たりリンク情報をコンテンツやコンテンツのスナップショット画像と共に保存し得るような設計も可能である。あるいはリンク情報のみ保存しておいてこの読み出しの際にこれに対応するコンテンツやコンテンツのスナップショット画像を配信サーバや中継サーバからダウンロードするように設計することも出来る。またこれとは別にリンク情報を配信サーバや中継サーバに保存しておき、これを検索して希望のコンテンツを配信サーバや中継サーバに提供させるような設計も可能である。【００２２】  さて本発明では更に、前記リンク情報は、アドレス情報の前記コンテンツ中での出現位置を定めたマーカが記載されたものであり、前記表示手段は、このマーカをリンク情報中に見つけた場合には、ティッカ表示領域に於いてアドレス情報に係るリンク情報の表示をコンテンツの表示に同期（タイミングの一致）させるものとすることが出来る。そもそも付帯情報はコンテンツの内容に関係付けられているものであるから、コンテンツの提供に合わせて提供されていさえすれば、上述したように見ていてコンテンツの内容と告知情報の内容とが一致していることが分かる。しかしながら例えば動画の画面に赤い靴が映っており、この赤い靴に関する情報が今すぐ欲しい場合には、タイミング良くリンク情報がティッカに表示されている方が好ましい。このようなことを可能にするために前記同期と言うことは重要である。この同期制御手段で重要なマーカの一実施形態としては、コンテンツの開始から終了までのタイムライン上で、告知情報の出現はコンテンツの開始から何分後であるとか、コンテンツの開始時刻を何時何分とすれば目的の告知情報の出現は何時何分であるとか、コンテンツの全体の長さを１００パーセントとすれば告知情報の出現は何パーセント目であるとか、動画であれば告知情報の出現は何フレーム目である、と言った目印情報であるとする。なお後々コンテンツを再生するに当たり任意のマーカから、例えば上記の赤い靴のマーカの箇所から再生し得るような設計とすることも便利である。なおコンテンツに赤い靴が登場したらティッカにも同様の赤い靴の画像が表示されるようであると、ユーザーには極めて分かりやすく告知情報にアクセスする意欲を高めることが出来る。ティッカ表示領域のリンク情報の表示を動画等のコンテンツの表示に同期させるマーカと言うものは、正に本発明のティッカ表示ならではのものである。【００２３】  本発明では更に、ユーザーからのキーワードを受け付けて、コンテンツまたは付帯情報を検索してキーワードにマッチングするコンテンツを索出するコンテンツ検索手段を備え、この検索結果のコンテンツをコンテンツ選択肢としてクライアントコンピュータの表示画面に提示するものとすることが出来る。一例としてユーザーが「旅番組」「トラベル」と言ったキーワードを前記送信側システムに送信したら、コンテンツを検索して該当するコンテンツの一覧表示を行ったり、付帯情報を検索してキーワードにマッチングする付帯情報に対応するコンテンツの一覧表示を行うのである。こうして索出されユーザーに指定されたコンテンツは通信によってクライアントコンピュータに提供される。【００２４】  本発明では更に、各々のユーザーのティッカ表示領域上でのリンク情報の選択を受けてこのリンク情報に関連する告知情報を見出してこの告知情報へのリンク情報を各々のユーザーの嗜好に係るリンク情報として各々のユーザーの表示画面のティッカ表示領域に表示されるように送信するか、または多数のユーザーのティッカ表示領域上でのリンク情報の選択を受けてより多く選択されたリンク情報を見出してこのリンク情報を全てのユーザーの表示画面のティッカ表示領域に表示されるように送信するものとすることが出来る。前者の一実施形態としてティッカ表示領域上でユーザーが選択したリンク情報に関する情報（選択された広告が何であるかなど）を受けて、このユーザーに固有の嗜好情報として記憶装置のユーザー情報記憶部に記録しておき、後にこのユーザーにリンク情報を提示する際には前記嗜好情報をユーザー情報記憶部の該当するユーザー領域から読み出して、この嗜好情報にマッチングする付帯情報を用いて、いわゆるレコメンドとしての新たなリンク情報を作成する嗜好情報処理手段を含めることが出来る。前記嗜好情報はまたコンテンツの選択の際にも利用することが可能である。従ってコンテンツそのものやタグなどの付帯情報にはユーザーの嗜好が反映される。例えばこのユーザーは車に興味がある、好きな俳優は誰それである、ダンスが好みの分野である、などの傾向が分かるため、このユーザーがコンテンツを消費する際にはこの傾向の広告を選んで付帯情報に加えるようにする。こうしてユーザーの購買意欲を高めることが出来るのである。この他上記嗜好情報以外にも、特に携帯電話機でコンテンツを楽しむ場合などでは、その携帯電話機が存在している位置情報を利用してその携帯電話機の周辺地域のみの情報を提供することが可能である。これには基地局の位置から携帯電話機の位置を推定したり、携帯電話機にＧＰＳを備えさせてそれからの位置情報を利用すれば良い。これは広告にもコンテンツにも適用し得る。或いは上述したキーワード検索の結果をリンク情報に反映させることなども可能である。また後者の一実施形態として多数のユーザーのティッカ表示領域上でのリンク情報の選択を受けてランキング情報を作成し、このランキング情報を全てのユーザーの表示画面のティッカ表示領域に提示することを上げる。このようにして現在多くのユーザーが何に興味を持っているかを全てのユーザーに告知することが出来る。【００２５】  ところでこれまで説明して来たリンク情報付きコンテンツの送受信システムでは、��信側に於いて、前記付帯情報記憶部の付帯情報と前記アドレス情報記憶部のアドレス情報とを比較して、付帯情報にマッチングするアドレス情報を選び出してリンク情報を作成するようにしていた。これに対して受信側のティッカ表示領域に表示されるように送信する情報を、予め決定して用意しておく実施形態も可能である。すなわち送信側に於いて、予め、コンテンツ記憶部から読み出したコンテンツを表示装置に表示しながら、この表示中のコンテンツの場面場面の内容から複数個のトピックを見出して、各々のトピックに関連する広告などの告知情報へのリンク情報を入力しておくための入力装置と、このリンク情報を記録するためのリンク情報記憶部と、クライアントコンピュータからのコンテンツ送信要求を受けてクライアントコンピュータの表示画面のコンテンツ表示領域に表示されるようにコンテンツ記憶部から読み出したコンテンツを通信によって送信するか、または放送スケジュールに従ってコンテンツ記憶部から読み出したコンテンツをテレビジョン受信機の表示装置の画面のコンテンツ表示領域に表示されるように放送する、コンテンツ送信手段と、前記リンク情報をリンク情報記憶部から読み出して、クライアントコンピュータの表示画面の、またはネットワーク接続されたテレビジョン受信機の表示画面の、ティッカ表示領域に表示されるように送信するか、またはテレビジョン受信機の表示画面の、ティッカ表示領域に表示されるように放送するリンク情報送信手段と、を備えているシステムである。例えば表示中のコンテンツの場面場面の内容から、この男優は誰でありこういうタイトルのＣＤを出している、この女優が履いている赤い靴は何というブランドのものである、いま流れている曲の題名は何である、あれは何温泉の何旅館である、等々のトピックを見出して各々のトピックに関連する広告などの告知情報へのリンク情報を入力しておくための、表示装置と入力装置とを備えるようにするのである。トピックとは話の種であり題目であり、単語や熟語やフレーズなどで表わされる。上述したキャプションのインデクサによる処理結果などもトピックであると言うことが出来る。なおこのシステムに関しても前記リンク情報は、アドレス情報の前記コンテンツ中での出現位置を定めたマーカを含むものとすることが出来る。このマーカに付いて別の見地から説明すると、動画を１秒間に略３０コマ（フレーム）として連続して見せる例では、その１コマ１コマにタグやコメント等を振れる可能性があり、これ等を検索してマッチングするアドレス情報を得ることが出来るわけである。またこのシステムに関してもユーザーからのキーワードを受け付けてこれにマッチングするコンテンツを索出して、この結果をコンテンツ選択肢として提示するものとすることが出来る。なおこのリンク情報を予め用意しておくものと、上述したマッチングによりリンク情報を得るものと、を混用したリンク情報を生成する実施形態も実現可能であり、十分に実用的である。また各々のユーザーのティッカ表示領域上でのリンク情報の選択を受けて個人的な嗜好情報に基づくレコメンデーションを提示したり、多数のユーザーのリンク情報の選択を受けて全てのユーザーに対するレコメンデーションを提示��るものとすることが出来る。【００２６】  またコンテンツの中継装置として本発明を構成することが出来る。すなわち広告などの告知情報を取得するためのアドレス情報を記録するためのアドレス情報記憶部と、コンテンツを受信して、このコンテンツから前記付帯情報部分を抽出する付帯情報抽出装置と、少なくともコンテンツの主要部をクライアントコンピュータの表示画面のコンテンツ表示領域に表示されるように通信によって転送するか、またはクライアントコンピュータから送信側にコンテンツ送信要求を出させるようにするコンテンツ中継手段と、この付帯情報抽出装置で抽出された付帯情報と前記アドレス情報記憶部のアドレス情報とを比較して、付帯情報にマッチングするアドレス情報を選び出してリンク情報を作成し、このリンク情報をクライアントコンピュータの表示画面のティッカ表示領域に表示されるように通信により送信するリンク情報送信手段と、を備えているものである。なお上記でクライアントコンピュータから送信側にコンテンツ送信要求を出させるものでは、中継装置がクライアントコンピュータにプレイリストを提供し、これに基づいてクライアントコンピュータがプレイリスト中の複数のコンテンツを順次送信側に送信要求する設計が可能である。この一実施形態としてクライアントコンピュータのＷＷＷブラウザから中継装置にコンテンツ送信要求が出されたら、中継装置はコンテンツ表示手段とティッカ表示手段と（すなわち動画等プレーヤである）が埋め込まれたＷＷＷページをクライアントコンピュータに送信し、これを以てクライアントコンピュータが送信側にコンテンツの送信要求を行なうと共に中継装置にリンク情報の送信要求を行なってコンテンツとリンク情報とを取得し、これ等を前記動画等プレーヤで再生するものを上げる。【００２７】  この他、本発明の送信側のコンテンツ送信手段に関して、通信を利用するものでは一実施形態としてＩＰ網を利用したダウンロード方式やストリーミング方式と言ったネットワーク型配信を利用してクライアントコンピュータへコンテンツを送信する。コンテンツは送信に先立って圧縮処理され、クライアントコンピュータで再生時に解凍処理されるのが一般的である。【００２８】  なお本発明の装置やシステムはＣＰＵを用いたコンピュータシステムとしても構成し得る。また上述した受信側や、中継装置を含む送信側で実施される各種の方法は、ＣＰＵで処理可能な命令として記憶装置に記録されるソフトウェアで実行可能である。またこのソフトウェアはＤＶＤ−ＲＯＭなどの記憶媒体に記録した状態で提供することが出来る。
【発明の効果】
【００２９】  本発明によれば、別々の表示領域であるコンテンツ表示領域とティッカ表示領域とが表示画面上に並んで提供され、両方を同時に見ることが出来、コンテンツが時間と共に移り変わって行くのと同様に、このコンテンツに関連する告知情報へのリンク情報も、ティッカ表示領域の中で時間と共に移り変わって表示されるため、ティッカ表示領域は殆ど場所を取らないにも係わらず、極めて多数のリンク情報をコンテンツの進行に合わせて提供することが出来る。ティッカ表示領域の存在により、このように多量の情報がこの表示領域に押し込められて、コンテンツ表示領域にまで溢れることがなくなっている点が重要である。このティッカ表示領域で表示されるリンク情報はコンテンツの付帯情報から導かれており、両者は密接な関係にある。このようにコンテンツと密接な関係にあるリンク情報がティッカ表示されるのである。またこのリンク情報はハイパーリンク（或いは上述したリンク情報を含んだスイッチ）となっているため、ユーザーはティッカ表示領域から好みのリンク先に即座にアクセスすることが出来る。この選択はユーザーの自由意志で行い得る。なお本発明の効果の他の側面として、携帯電話機の液晶画面のような極く小さい画面でも、ティッカ表示領域によって極めて多くの告知情報が得られることを上げる。
【発明を実施するための最良の形態】
【００３０】  以下に述べる実施形態は例示に過ぎず、当業者であればいろいろなバリエーションを与えることが出来る。そしてそれ等もまた本願発明の権利範囲内のものである。【００３１】  （第１実施形態）
図１乃至図１１は本発明の第１実施形態を表わすが、このものはストリーミングによって動画を送信しこれとは別にリンク情報を送信する配信サーバ１と、これ等を受信して再生するクライアントコンピュータ３とから構成された送受信システムに関するものであり、インターネットを利用して情報のやり取りを行うものである（図１）。またリンク情報は動画の付帯情報から導かれているため、動画の内容とリンク情報とは密接な関係にある。【００３２】  図２ではこの配信サーバがＣＰＵ１０を用いて実現された場合のハードウェア構成で表わされており、図１の配信処理部１００は下記プログラムをＣＰＵ１０上で動作させることで実現している。ＣＰＵ１０にはメモリ１１、記憶装置であるハードディスク１２、インターネットに接続するためのＬＡＮカード１５、表示装置であるディスプレイ１３、入力装置であるキーボード及びマウス１４、ＣＤ−ＤＶＤドライブ１６が接続されている。ハードディスク１２には、オペレーティングシステム（ＯＳ）２、配信処理を統括する配信処理プログラム２０、送信する動画のコンテンツ記憶部２１、コンテンツ送信プログラム２２、動画に付与したタグの付帯情報記憶部２３、アドレス情報記憶部２４、リンク情報生成プログラム２５、リンク情報送信プログラム２６が記録されている。これ等のプログラムは、ＣＤ−ＤＶＤドライブ１６を介してＣＤ−ＲＯＭ１７からインストールされたものである。【００３３】  図３ではＣＰＵ３０を用いたハードウェア構成のクライアントコンピュータ３が表わされており、図４の受信処理部３００は下記プログラムをＣＰＵ３０上で動作させることで実現している。ＣＰＵ３０にはメモリ３１、記憶装置であるハードディスク３２、表示装置であるディスプレイ３３、入力装置であるキーボード及びマウス３４、インターネットに接続するためのＬＡＮカード３５、ＣＤ−ＤＶＤドライブ３６が接続されている。ハードディスク３２には、オペレーティングシステム（ＯＳ）２００、受信処理を統括する受信処理プログラム２０１、コンテンツ受信プログラム２０２、コンテンツを再生するコンテンツ表示プログラム２０３、リンク情報受信プログラム２０４、この受信したリンク情報を時間の経過と共に流れるように表示するティッカ表示プログラム２０５、リンク情報で指定されたリンク先の情報を表示するためのＷＷＷブラウザプログラム２０６が記録されている。これ等のプログラムはＣＤ−ＤＶＤドライブ３６を介してＣＤ−ＲＯＭ３７からインストールされたものである。【００３４】  図１で表わすように配信サーバ１とクライアントコンピュータ３とはインターネットで接続されている。クライアントコンピュータ３にはディスプレイ３３が接続されており、この図では配信サーバ１から送信された動画を表示するためのコンテンツ表示窓５とリンク情報を表示するためのティッカ表示窓６とが表示されている。ティッカ表示窓６は垂直設置部６−１と水平設置部６−２とがコンテンツ表示窓５の右側辺と上側辺に沿うようにしてコンテンツ表示窓５の外に表示されている。垂直設置部６−１と水平設置部６−２とは右肩で連続しており、ここに表示されるリンク情報は垂直設置部６−１を右下から上がって来て、右肩で切り返して水平設置部６−２を左方へ流れ、左端（ここにはティッカで表示するフォントや文字色等を設定するための設定ボタン６０が設けられている）で消えるように設計されている。コンテンツ表示窓５もティッカ表示窓６もこの実施形態のために設計されたものであるが、ＷＷＷブラウザをこれ等の表示のために利用する設計もまた可能である。配信サーバ１の配信処理部１００ではコンテンツ提示部１０１が、視聴を希望するユーザーのコンテンツ表示窓５に動画リストを送信し、ユーザーがここに表示される品目の中から希望のものを選んでマウスでクリックすると、視聴要求として品目情報が配信処理部１００に送られる（図示せず）。【００３５】  配信処理部１００はユーザーが選択した動画の品目の情報を受信すると（ステップＳ１）、リンク情報生成部１０３が該当する動画コンテンツに付与されている付帯情報ファイル４を付帯情報記憶部２３から読み出すと共に、アドレス情報ファイル４１をアドレス情報記憶部２４から読み出して、図６で示したように、付帯情報ファイル４とアドレス情報ファイル４１とを比較して、付帯情報ファイル４の中身であるタグ４０にマッチングするアドレス情報を選び出し、タグ４０とアドレス情報とから図７で示したリンク情報ファイル４２を生成する（ステップＳ２）。そしてコンテンツ送信部１０２が動画コンテンツをコンテンツ記憶部２１から読み出してクライアントコンピュータ３のコンテンツ受信部３０１に送信する。またリンク情報送信部１０４が前記リンク情報ファイル４２をクライアントコンピュータ３のリンク情報受信部３０３に送信する（ステップＳ３）。【００３６】  前記付帯情報ファイル４には動画の内容を端的に表わすタグ４０が記載されている。またアドレス情報ファイル４１には、キーワード、タイトル、要約、ＵＲＬ、順位の各項目がある。この実施形態ではアドレス情報ファイル４１にＵＲＬを記載して自己の広告に導こうとする広告出稿者の例を上げているが、キーワードを「旅行」とした複数の広告出稿者の中で高値を付けた順に番号が振られて、これが順位の項目に記載されている。そこでタグ４０の「旅行」にマッチングするここでは最高値を付けた１名の広告出稿者をアドレス情報ファイル４１から索出して、この広告出稿者のキーワード「旅行」とＵＲＬとをリンク情報ファイル４２に書き込む。同様にしてタグ４０の「芦の湖」「関所跡」「坂田金時」以下順にマッチングを調べて該当するものをリンク情報ファイル４２に書き込む。このリンク情報ファイル４２はＨＴＭＬ（Ｈｙｐｅｒ  Ｔｅｘｔ  Ｍａｒｋｕｐ  Ｌａｎｇｕａｇｅ）で記載されており、その主要部はアンカータグに記されたＨＲＥＦ属性のＵＲＬ４４とハイパーリンク表題４３とである。このハイパーリンク表題４３が図９のティッカ表示窓６に順番に、且つマウスカーソル６１でクリックしやすいように個別にスペースで区切って現わされ、この何れか一の上をクリックすると、ＵＲＬ４４が指し示す文書がＷＷＷブラウザの別窓を開いてそこに表示される。なおここではティッカ表示窓６に現わすものをハイパーリンク表題４３としたが、これを前記タイトルとすることも可能である。またこの後に続けて要約を表示するようにする設定も��能である。このようなことはユーザー側の利便性を考慮するなどして自由に設計して良い。【００３７】  次に受信処理部３００の処理を図８を用いて説明すると、先ず前記コンテンツ送信部１０２から送信されて来た動画コンテンツをコンテンツ受信部３０１で受信し、また前記リンク情報送信部１０４から送信されて来たリンク情報ファイル４２をリンク情報受信部３０３で受信する（ステップＳ４）。次いで受信した動画はコンテンツ表示部３０２がディスプレイ３３の表示画面にコンテンツ表示窓５を設けて表示する。また受信したリンク情報ファイル４２はティッカ表示部３０４が前記コンテンツ表示窓５の周りにティッカ表示窓６を設けて表示する（ステップＳ５）。ハイパーリンク表題４３は、矢線で表わすように、垂直設置部６−１を右下から上がって来て右肩で切り返し、水平設置部６−２を左方へ流れて左端で消える。図９で示された例ではマウスカーソル６１でハイパーリンク表題４３の「坂田金時」をクリックした状態が表わされている。次に図１０で示すように、ティッカ表示窓６内でハイパーリンク表題４３が選択されたら（ステップＳ６）、コンテンツ表示窓５とティッカ表示窓６に対してＷＷＷブラウザの別窓をカスケード表示すると共に（図示せず）、コンテンツ表示窓５での動画再生とティッカ表示窓６でのティッカ表示とを一時停止させて、コンテンツ表示窓５に再生開始ボタン５０を表示する（ステップＳ７）。そしてＷＷＷブラウザの別窓にＵＲＬ４４が指し示す文書を表示する（ステップＳ８）。続けて他のハイパーリンク表題４３が選択される度にＷＷＷブラウザには選択されたＵＲＬ４４が指し示す文書が表示される。そして再生開始ボタン５０がマウスカーソル６１でクリックされたら、コンテンツ表示窓５での動画再生とティッカ表示窓６でのティッカ表示とを再開させるのである（ステップＳ９）。【００３８】
この実施形態を分かりやすくイメージしたものが図１１であるが、再生中の動画が流れるタイムライン５１と、リンク情報が流れるタイムライン４５と、が並行して表わされており、符号５２は動画再生の現時点を指し、この時点の前後を範囲とする幾つものハイパーリンク表題４３が、限られた表示面積のティッカ表示窓６の中を、スペースで区切られて流れるように表示されている。ハイパーリンク表題４３は動画コンテンツの内容と関連がある。リンク情報ファイル４２に記載するハイパーリンク表題４３の数は、動画が流れるタイムライン５１の時間内に収まるようにすれば良い。なおこの数が少ないようであればティッカ表示をループさせるなどすれば良い。
【００３９】  （第２実施形態）
図１２乃至図１４は本発明の第２実施形態を表わす。この実施形態はその構成の殆どを上述した第１実施形態に倣うものであるが、付帯情報ファイル４６のタグ４７に時間マーカ４８を付与している点に特徴を有する。図示しない配信処理部が図１４（ａ）の付帯情報ファイル４６から一例として図１４（ｂ）のリンク情報ファイル４９を生成したとすると（図示しないアドレス情報ファイルにタグ４７に対応するキーワードやハイパーリンク表題４０１となるタイトルやＵＲＬ４４等々が記載されている）、付帯情報ファイル４６のタグ４７に付与されている時間マーカ４８は、リンク情報ファイル４９ではアンカータグのＵＲＬ４４に続く時間マーカ属性（ＴＩＭＥ）４００として追記されている。これはこの実施形態が独自に定義したものであるため、一般的にはこの時間マーカ属性４００は読み飛ばされて無害であるが、図１３で示したこの実施形態の受信処理部３０６のマーカ処理部３０７は、これを認識して処理することが出来るようになっている。【００４０】  すなわち受信処理部３０６のコンテンツ受信部３０１でコンテンツを取得してコンテンツ表示部３０２でコンテンツ表示窓に表示し（ステップＳ１０）、リンク情報受信部３０３でリンク情報ファイル４９を取得したら（ステップＳ１１）、マーカ処理部３０７にてリンク情報ファイル４９に時間マーカ属性４００が記載されているか否かを調べて（ステップＳ１２）、記載があればこの時間にティッカ表示部３０４で表示するハイパーリンク表題４０１の表示開始時間を合わせるように処理し（ステップＳ１３）、記載がない場合には表示開始時間を合わせるような処理を行わずにそのままハイパーリンク表題４０１の表示を行う（ステップＳ１４）。従って例えば動画中に「ランパル」と言う人物が登場する時間が動画再生開始から２０秒後であれば、この開始時間に合わせてハイパーリンク表題４０１の「ランパル、２０世紀の最も偉大なフルート奏者」をティッカ表示窓６に登場させることが出来るのである。これは重要なことであり、動画の画面上に見えている者や物、またシチュエーションやアイディアなどと、ティッカを流れる広告などの告知情報とを一致させることが出来、画面上で気になるものや事柄に直ぐにアクセスし得るように構成することが可能であり、経済面から見てもその効果は大変に大きいと言うことが出来る。なおハイパーリンク表題の中に付帯情報ファイルのタグの表示を必ず挿入するようにして、この部分をクリッカブルに設定することも可能である。上記の例で言えばティッカ表示の「ランパル、２０世紀の最も偉大なフルート奏者」の「ランパル」はタグに相当し、この「ランパル」部分のみをハイパーリンクとする処理を行うのである。【００４１】  （第３実施形態）
図１５乃至図１７は本発明の第３実施形態を表わす。この実施形態の配信サーバの特徴は、配信処理部１０５がユーザー管理部１０６とコンテンツ検索部１０７とを備え、ユーザーが指定してユーザー管理部１０６に登録したキーワードを読み出し（ステップＳ１５）、このキーワードで図示しない付帯情報記憶部に記録してある各種の動画コンテンツのクローズドキャプションを検索して（ステップＳ１６）、このキーワードを含むクローズドキャプションに対応する動画コンテンツのタイトルなどを、ユーザーに視聴を推薦する動画コンテンツ一覧表の中に追加して提示する（ステップＳ１７）。図１７ではコンテンツ選択窓７内に検索されたタイトル７０が、普通に提示するタイトル７１よりも上方に提示されている様子が示されている。【００４２】  登録するキーワードの一例としては、アイドルタレント名、ブランド商品名、地名、店名、イタリアンなどの料理のジャンル名、名所旧跡名、等々であるが、これをユーザーに登録させるのである。なおこのキーワード登録の他の活用方法として、キーワードがマッチングした場合に、リンク情報ファイル４９のハイパーリンク表題４０１をブリンクさせたりハイライトさせたりするなどの表示指定を送信処理部側で行うなどを上げる。あるいは受信処理部側すなわちクライアントコンピュータ側にキーワードを登録しておき、ティッカ表示窓に表示しようとしているハイパーリンク表題などにマッチングするものがある場合に、受信処理部側でハイライト表示するなどの制御が可能である。【００４３】  （第４実施形態）
図１８で示したこの実施形態は、受信処理部３０８にリンク情報記憶処理部３０９とリンク情報読出部３１０とを備え、ティッカ表示部が表示するリンク情報ファイルを一旦リンク情報記憶処理部３０９に記録しておき、後々このリンク情報ファイルをリンク情報読出部３１０を用いて読み出して再度表示させようと言うものである。【００４４】  リンク情報ファイルは、動画や音楽などの時間と共に移り変わる性質を有するコンテンツと同様、ティッカ表示領域に時間と共に移り変わるように表示されるため、流れに任せておけばティッカ表示領域から消えてしまい、ユーザーが選択することが出来なくなる。そこでリンク情報ファイルを情報記憶処理部３０９に記録しておくようにしたのである。またこれが可能であれば、動画などを鑑賞し終わった後でゆっくりと、何が知りたかったのかを忘れることなく、必要な情報にアクセスすることが出来て便利である。【００４５】  （第５実施形態）
図１９及び図２０は本発明の第５実施形態を表わす。そもそもリンク情報は、上述したようなコンテンツの付帯情報に係るマッチング処理によって導かれたものに限定されず、コンテンツの内容を見るなどして人為的に作成したり用意されたものを受け付けたりして付与したものであってよい。しかしながらこの場合であってもコンテンツの内容とリンク情報とは密接な関係にあると言うことが出来る。上述した赤い靴の例が参考になる。【００４６】  図１の配信処理部１００と比較して、この実施形態では、配信処理部１０８がコンテンツ提示部１０１とコンテンツ送信部１０２との他に、リンク情報作成部１０９とリンク情報付加部１１０とを備えている点が特徴的である。また図２０（ａ）ではこの配信サーバがＣＰＵを用いて実現された場合のハードウェア構成の一部であるハードディスク１２に表わされており、図１９の配信処理部１０８はハードディスク１２にインストールされた下記プログラムをＣＰＵ上で動作させることで実現している。すなわちハードディスク１２には、オペレーティングシステム（ＯＳ）２、配信処理を統括する配信処理プログラム２７、送信する動画のコンテンツ記憶部２１、コンテンツ送信プログラム２２、上述したマッチング処理によらずにリンク情報を作成するリンク情報作成プログラム２８、このリンク情報を動画のコンテンツに多重化させるリンク情報付加プログラム２９が記録されている。配信処理部１０８は、コンテンツ提示部１０１を以てユーザーに提供可能な動画の品目の情報を提示することが出来る。この提供可能な動画品目の一つ一つに付いて、このサービスを提供する側でリンク情報作成部１０９によりリンク情報を作成することが出来る。リンク情報は例えば図７で示したリンク情報ファイルである（リンク情報作成部１０９によりリンク情報に前記マーカを加える処理を行なう場合のリンク情報は例えば図１４で示したリンク情報ファイルであるが、ここでの時間マーカ属性４００の代わりに出現フレーム属性を用いるようにしても良い）。すなわちサービスを提供する側では、図示しない表示装置と入力装置と記憶装置（便宜的に図２の配信サーバ１の構成を借りて説明すれば表示装置であるディスプレイ１３と入力装置であるキーボード及びマウス１４と記憶装置であるハードディスク１２）を用いて、表示装置にコンテンツを表示しながら、この中から例えば「赤い靴」などのトピックを見出して、このトピックに関連するリンク情報を入力装置から入力して、これを一旦記憶装置に記録しておくことになるが、この表示装置や入力装置や記憶装置がこのシステムのリンク情報作成部１０９を構成している。なおリンク情報作成作業の一部をユーザー側から行い得るように設計することも可能である。さて前記コンテンツ提示部１０１が提示した品目情報の中からユーザーが選択した品目情報を受信したら、リンク情報付加部１１０によりこの動画品目に該当するリンク情報をこの動画コンテンツに多重化して、コンテンツ送信部１０２にてクライアントコンピュータへ送信する。なお選択された品目情報を受信してからリンク情報付加部１１０を動作させるのではなく、予めリンク情報付加部１１０によって各々の動画コンテンツにこれに対応するリ���ク情報を多重化させたものをコンテンツ記憶部２１に記録しておくようにしても良いことは言うまでもない。なお上記ではリンク情報に前記マーカを加える処理をリンク情報作成部１０９を用いて手動で行なっているが、これを自動処理とすることが可能である。すなわちコンテンツを表示装置に表示しつつトピックを見出す作業に於いては前記表示装置でのコンテンツの表示を一時停止させることが行なわれるが、一時停止された場面にはトピックが登場していることから、この一時停止をトリガーとしてこの時点で前記マーカを作成中のリンク情報に自動的に加える処理を行わせるように設計するのである。【００４７】  一方、図２０（ｂ）ではＣＰＵを用いたハードウェア構成のクライアントコンピュータのハードディスク３２部分が表わされており、受信処理部は下記プログラムをＣＰＵ上で動作させることで実現している。ハードディスク３２には、オペレーティングシステム（ＯＳ）２００、受信処理を統括する受信処理プログラム２０１、コンテンツ受信プログラム２０２、コンテンツを再生するコンテンツ表示プログラム２０３、動画コンテンツに多重化されているリンク情報をコンテンツから分離させるリンク情報分離プログラム２０７、この分離したリンク情報を時間の経過と共に流れるように表示するティッカ表示プログラム２０５、リンク情報で指定されたリンク先の情報を表示するためのＷＷＷブラウザプログラム２０６が記録されている。リンク情報分離プログラム２０７によって分離されたリンク情報、例えば図７で示したリンク情報ファイルは、ティッカ表示プログラム２０５がコンテンツ表示窓の周りにティッカ表示窓を設けて表示するが、ここに表示されるリンク情報は前記リンク情報作成部１０９で作成されたものであり、ティッカ表示窓に現われ時間の経過と共にティッカ表示窓から消えて行くようになっている。この表示されている間にハイパーリンク表題が選択されたならば、ＷＷＷブラウザの別窓を開いて、ＷＷＷブラウザプログラム２０６がハイパーリンク表題に係るＵＲＬが指し示す文書を取得して表示する。また動画はコンテンツ表示プログラム２０３によってコンテンツ表示窓に表示される。【００４８】  （第６実施形態）
図２１にはインターネットに接続されたクライアントコンピュータ３や携帯電話機Ｃにコンテンツを提供するものとして、テレビジョンの放送局Ｂ、配信サーバ１、中継サーバ８が描かれている。一つの実施形態として、放送局Ｂは電波を利用してコンテンツを放送するが、この際にリンク情報は電波に重畳させたり、配信サーバ１を経由する通信によってユーザーに提供することが出来る。配信サーバ１は放送をネットワーク型配信によって再利用したり、放送と同時に再送信したり、初めからネットワーク型配信のための番組を制作して配信するが、この際にリンク情報を送信することが出来る。【００４９】  図２１乃至図２３は本発明の第６実施形態を表わすが、このものは中継サーバ８であって、コンテンツに関しては放送局Ｂや配信サーバ１から受信したものをクライアントコンピュータ３や携帯電話機Ｃに中継する処理を行うが、この際にコンテンツの付帯情報を取得してここから新たにリンク情報を生成し、これをクライアントコンピュータ３や携帯電話機Ｃに送信する処理を行う点に特徴を有する。ここでもリンク情報は動画の付帯情報から導かれているため、動画の内容とリンク情報とは密接な関係にあることが分かる。なおこの中継サーバ８で生成されるリンク情報は、他の実施形態として、上述した第５実施形態のようにコンテンツの内容を表示装置で表示しつつ、リンク情報の入力を入力装置で受け付けたものとする設計が可能である。【００５０】  図２２ではこの中継サーバ８がＣＰＵ８０を用いて実現された場合のハードウェア構成で表わされており、図２１の配信処理部８００は下記プログラムをＣＰＵ８０上で動作させることで実現している。ＣＰＵ８０にはメモリ８１、記憶装置であるハードディスク８２、表示装置であるディスプレイ８３、入力装置であるキーボード及びマウス８４、インターネットに接続するためのＬＡＮカード８５、ＣＤ−ＤＶＤドライブ８６が接続されている。ハードディスク８２には、オペレーティングシステム（ＯＳ）９、中継処理を統括する配信処理プログラム９０、転送するコンテンツを受信するためのコンテンツ受信プログラム９１、この受信したコンテンツを転送するためのコンテンツ転送プログラム９２、前記受信したコンテンツが付帯情報（一例としてクローズドキャプション）を含んでいる場合にこれを抽出するための付帯情報抽出プログラム９３、アドレス情報記憶部９４、リンク情報生成プログラム９５、リンク情報送信プログラム９６が記録されている。これ等のプログラムは、ＣＤ−ＤＶＤドライブ８６を介してＣＤ−ＲＯＭ８７からインストールされたものである。【００５１】  配信処理部８００はユーザーが指定したコンテンツを受信し、このコンテンツの付帯情報を抽出して、この付帯情報にインデキシング処理を掛けて単語化や短文化を行ない、これを都合良くフィルタ処理して付帯情報ファイルを生成する（ステップＳ１８）。次にアドレス情報ファイルをアドレス情報記憶部９４から読み出して前記付帯情報ファイルと比較し、付帯情報ファイルの内容にマッチングするアドレス情報を選び出して、例えば図７で示したようなリンク情報ファイルを生成する（ステップＳ１９）。そしてコンテンツ転送部８０１が前記受信したコンテンツをクライアントコンピュータ３のコンテンツ受信部に送信する。またリンク情報送信部８０４が前記リンク情報ファイルをクライアントコンピュータ３のリンク情報受信部に送信する（ステップＳ２０）。従って転送されたコンテンツは表示装置３３の画面のコンテンツ表示領域に表示され、新たに送信された前記リンク情報ファイルは表示装置３３の画面のティッカ表示領域に表示されることになる。この際にクライアントコンピュータ３ではコンテンツの再生を機にリンク情報のティッカ表示を開始するように設定されている。従ってコンテンツの受信開始とリンク情報の受信開始との間に時間差がある場合には、一方が他方の到着を待つ処理を行なうようにするのである。しかしながら経験的にはこのような処理を行わなくても実用になっている。必要であれば上述したマーカなどの仕組を用いれば良い。なおクライアントを携帯電話機Ｃとする設計も可能である。なおこの他の実施形態として、コンテンツ転送部がコンテンツを転送せずに、クライアントコンピュータにこのコンテンツへのアクセス情報を送信して、クライアントコンピュータ自身でこのコンテンツを配信サーバ１から直接受信するものを上げることが出来る。これにはクライアントコンピュータの記憶装置にインストールしておくタイプのものや、インターネットなどを経由するいわゆるネットワークローダブルなソフトウェアとして動作するタイプのものなどがある。【００５２】  （第７実施形態）
図２４で示したこの実施形態は、ユーザーがティッカ表示領域上で告知情報としての広告を選択した際に、この広告選択情報を受けて、第１にユーザーに固有の嗜好情報を利用すること、第２に広告視聴数の集計を行って言わば広告視聴率を算出することを行なう。配信サーバは後述する嗜好情報処理部８０５と広告視聴数集計部８０６と記憶装置であるハードディスク８２とリンク情報合成部８０７とを備える。ユーザーが前回選択した広告の情報を嗜好情報処理部８０５で処理し、このユーザーの嗜好を把握してこのユーザー好みの広告品目をハードディスク８２に記録しておくと共に、広告視聴数集計部８０６がこの情報を利用して母集団の広告視聴率を算出する。次に同じユーザーに対して今回、ティッカ表示領域に送信するリンク情報に、リンク情報合成部８０７がハードディスク８２に記録してあるこのユーザー好みの広告品目を読み出して追加し、ティッカ表示領域での今回提示広告とするのである。なお前記広告視聴数集計部８０６が算出した広告視聴率を活用すれば一例として次のようなことが可能となる。すなわち同じ番組を視聴しているユーザーで構成する集団で最も多く選択されている広告のランキングを集計して、これ等の広告をレコメンドとして、リンク情報合成部８０７で今回ティッカ表示領域に送信するリンク情報に追加するのである。これによって多くのユーザーに見られている広告であることを皆に伝えることが出来、この広告の注目度を更に高めることが出来るのである。なお広告のランキングは全ての番組を通して集計したものとすることも可能である。【００５３】  （第８実施形態）
さて図２５は受信側となるクライアントコンピュータの表示画面を示すが、この表示手段は、受信した動画や音楽などの時間と共に移り変わる性質を有するコンテンツを表示するためのコンテンツ表示領域と、コンテンツに関係付けて作成された広告などの告知情報を取得するためのハイパーリンク形式のリンク情報、を時間と共に移り変わるように且つ入力装置でクリック可能に表示するためのティッカ表示領域と、をどのように並べて表示するかの一実施形態に関するものである。本発明ではティッカ表示領域を設けることによって、多量の告知情報をこの表示領域に押し込めることが出来るため、告知情報がコンテンツ表示領域にまで溢れて肝心のコンテンツが見づらくなることがなくなっている点が重要である。この実施形態でもコンテンツ表示窓５３の中にその上辺に沿って上下２段にティッカ表示窓６２とティッカ表示窓６３を並べて開けることで、多量の告知情報をこの２段のティッカ表示窓６２，６３の中に納めている。また上段のティッカ表示窓６２にはハイパーリンク動画４０２やハイパーリンク静止画４０３が左側から右側に向かって流れるようになっており、下段のティッカ表示窓６３にはハイパーリンクの文字情報が右側から左側に向かって流れるようになっている。なお前記ハイパーリンク動画４０２は一例フラッシュ（商標）動画である。コンテンツ表示窓５３に表示するコンテンツとしては、ムービーなどの動画のみならずゲーム画面などを上げることが出来る。【００５４】  （第９実施形態）
次に図２６で示したこの実施形態は、ディスプレイ３３の殆どの領域を占めるようにコンテンツ表示窓５４を表示し、この右側の小さな領域にティッカ表示窓６４を表示するものである。このティッカ表示窓６４では一つ一つのハイパーリンク表題４３が上下方向に並ぶように、またティッカ表示窓６４に収まるだけの数のハイパーリンク表題４３を１セットとして静止状態で表示し、一定時間が経過したら次の１セットに一斉に切り替えて表示すると言うような、この実施形態に特徴的なティッカ表示を行なうように設計されている。前記一定時間とは、例えば一般的なスクロールによるティッカ表示で言うならば、ティッカ表示窓６４の下に１セットの内の最初のハイパーリンク表題４３が現われて上方へスクロールして行き、１セットの内の最後のハイパーリンク表題４３がティッカ表示窓６４の上に消えるまでの時間のことである。【００５５】  （第１０実施形態）
次に図２７で示したこの実施形態は、順次提供される字幕４０４（キャプションである）に対してインデクサによる分かち書き等の処理を行なって単語や熟語からなるトピック４０５を抽出し、この抽出順にトピック４０５とアドレス情報とを比較して、トピック４０５にマッチングするアドレス情報を選び出してリンク情報を作成する。前記字幕４０４はテレビ画面５５の下部の字幕表示部５６に表示されるが、この字幕表示部５６の下にはティッカ表示部６５が表示されており、ここに前記リンク情報がハイパーリンク表題４０６として左方へ移動して行くように表示される。図２７では順次提供される字幕からある時間分だけを切り取って３つの字幕４０４−１，４０４−２，４０４−３を見ている状態を表わしている。トピック４０５−１は字幕４０４−１から抽出されたものであり、トピック４０５−２，４０５−３は何れも字幕４０４−３から抽出されたものである。そしてこれ等に係る３つのハイパーリンク表題４０６−１，４０６−２，４０６−３がティッカ表示部６５に表示されている。ハイパーリンク表題４０６−１，４０６−２を得た字幕４０４−１，４０４−２は既に字幕表示部５６から消えて、現時点では字幕４０４−３が表示されているが、ハイパーリンク表題４０６−３がティッカ表示部６５の右端部から登場してもなお、ハイパーリンク表題４０６−１，４０６−２はティッカ表示部６５に残って左方へ移動中である状況が表わされている。なお字幕表示部５６での字幕４０４の表示開始に合わせてティッカ表示部６５にハイパーリンク表題４０６の表示が開始されるようにするために、前記トピック４０５−１が抽出された字幕４０４−１に付された字幕の時間Ｔ−１をハイパーリンク表題４０６−１にも付し、トピック４０５−２，４０５−３が抽出された字幕４０４−３に付された字幕の時間Ｔ−３をハイパーリンク表題４０６−２，４０６−３にも付している。【００５６】  （第１１実施形態）
さて、多くのビデオ（動画）編集ソフトウェアにはタイトルオーバーレイの付与機能が搭載されているが、この機能を表示にではなく例えばタグやコメント等の付与に利用し得るように設計することが出来る。そこで図２８で示したこの実施形態は、動画を構成する複数のフレーム５７の一つ一つにフレームダグ４０７を設けてここにタグを記載し、こうしておいて全てのフレーム５７−１，５７−２，５７−３・・５７−ｎのフレームダグ４０７−１，４０７−２，４０７−３・・４０７−ｎを通しで（図２８では模式的に一点鎖線で表わした）検索してトピック４０８を生成し、このトピック４０８にマッチングするアドレス情報からリンク情報を生成するようにしている。図２８ではフレーム５７−３のフレームダグ４０７−３にトピック４０８−３を見出した状態が表わされているが、このトピック４０８−３はフレーム５７−３に位置していることから、フレーム位置は自ずと明白であり、このフレーム位置情報をリンク情報に引き継ぐようにするのである。こうしてフレーム５７−３が表示されるのに合わせて該当するリンク情報をティッカ表示することが可能になる。従って例えばフレーム５７−３に赤い靴が登場し始め、フレームダグ４０７−３にこの商品名が記載されていれば、トピック４０８−３はこの商品名であり、赤い靴の登場に合わせて都合良く、トピック４０８−３にマッチングしたリンク情報がティッカ表示窓に表示され始めるのである。【００５７】  なおコンテンツのネットワーク型配信に課金することは大変に難しいことを既に説明したが、本発明によればティッカ表示領域は殆ど場所を取らないにも係わらず、極めて多数のリンク情報をコンテンツの進行に合わせて提供することが出来るため、テレビジョン放送の再送信や、ユーチューブ（商標）に代表される動画共有サービスなどでも大きな広告収入を上げることが出来る。また個人による動画投稿に於いても広告スポンサーから経済的な価値が付けられるため、動画コンテンツの制作者に制作費用の一部でも補助することが出来るようになる。
【産業上の利用可能性】
【００５８】  本発明は動画のみならず、音楽、紙芝居や朗読書籍、ゲーム画面などのデジタル化された動きのあるコンテンツに広く適用可能である。また告知情報も広告に限らず、地域のお知らせなどに広く利用可能である。またコンテンツ及びリンク情報の提供先はパーソナルコンピュータに限らず、ネットワークに接続されないテレビジョン受像器や、ネットワーク接続が可能なテレビジョン受像器や可搬型情報端末や携帯電話機なども含まれる。また本発明はコンテンツの販売にも利用することが出来る。すなわち例えば試聴コンテンツに付けたリンク情報から広告にアクセスさせ、これによって購入料金を割り引いたり無料にするのである。【００５９】  またコンテンツが動画であれば将来的には動画中の画像にマッチングする告知情報をティッカ表示領域に（文字列や前記画像に関連する画像にて）表示させるようなことも実現するであろう。また例えばテレビジョン受像機のティッカ表示領域を隠して、携帯電話機側のティッカ表示領域と連係させる設計も可能である。テレビジョン受像機側でコンテンツを楽しませ、携帯電話機側で告知情報にアクセスさせたりコンテンツを選択させたりするためである（すでに現在ではテレビを見ながら携帯電話機でいわゆるネット接続を楽しむくらいであるから、両者は一体であると見做すことが可能である）。これ等もまたこの発明の権利範囲内にある。
【図面の簡単な説明】
【００６０】
【図１】  第１実施形態のネットワーク構成を示す図。
【図２】  配信サーバのハードウェア構成を示す図。
【図３】  クライアントコンピュータのハードウェア構成を示す図。
【図４】  クライアントコンピュータの受信処理部を示す図。
【図５】  配信サーバの処理を示すフローチャート。
【図６】  付帯情報ファイルとアドレス情報ファイルの処理を示す図。
【図７】  生成されたリンク情報ファイルを示す図。
【図８】  クライアントコンピュータの処理を示すフローチャート。
【図９】  クライアントコンピュータの表示画面を示す図。
【図１０】  クライアントコンピュータの処理を示すフローチャート。
【図１１】  動画コンテンツのタイムラインとティッカ表示との関係を示す図。
【図１２】  第２実施形態のクライアントコンピュータの処理を示すフローチャート。
【図１３】  クライアントコンピュータの受信処理部を示す図。
【図１４】  付帯情報ファイルと（ａ）リンク情報ファイル（ｂ）との関係を示す図。
【図１５】  第３実施形態の配信サーバの配信処理部を示す図。
【図１６】  配信サーバの処理を示すフローチャート。
【図１７】  クライアントコンピュータの表示画面を示す図。
【図１８】  第４実施形態のクライアントコンピュータの受信処理部を示す図。
【図１９】  第５実施形態の配信サーバの配信処理部を示す図。
【図２０】  （ａ）は配信サーバのハードウェア構成を示す図。（ｂ）はクライアントコンピュータのハードウェア構成を示す図。
【図２１】  第６実施形態のネットワーク構成を示す図。
【図２２】  中継サーバのハートウェア構成を示す図。
【図２３】  中継サーバの処理を示すフローチャート。
【図２４】  第７実施形態を説明する図。
【図２５】  第８実施形態のクライアントコンピュータの表示画面を示す図。
【図２６】  第９実施形態のクライアントコンピュータの表示画面を示す図。
【図２７】  第１０実施形態を説明する図。
【図２８】  第１１実施形態を説明する図。
【符号の説明】
【００６１】  １    配信サーバ
１０  ＣＰＵ
１１  メモリ
１２  ハードディスク
１３  ディスプレイ
１４  キーボード・マウス
１５  ＬＡＮカード
１６  ＣＤ−ＤＶＤドライブ
１７  ＣＤ−ＲＯＭ
１００配信処理部
１０１コンテンツ提示部
１０２コンテンツ送信部
１０３リンク情報生成部
１０４リンク情報送信部
１０５配信処理部
１０６ユーザー管理部
１０７コンテンツ検索部
１０８配信処理部
１０９リンク情報作成部
１１０リンク情報付加部
Ｂ    放送局
２    ＯＳ
２０  配信処理プログラム
２１  コンテンツ記憶部
２２  コンテンツ送信プログラム
２３  付帯情報記憶部
２４  アドレス情報記憶部
２５  リンク情報生成プログラム
２６  リンク情報送信プログラム
２７  配信処理プログラム
２８  リンク情報作成プログラム
２９  リンク情報付加プログラム
２００ＯＳ
２０１受信処理プログラム
２０２コンテンツ受信プログラム
２０３コンテンツ表示プログラム
２０４リンク情報受信プログラム
２０５ティッカ表示プログラム
２０６ＷＷＷブラウザプログラム
２０７リンク情報分離プログラム
３    クライアントコンピュータ
３０  ＣＰＵ
３１  メモリ
３２  ハードディスク
３３  ディスプレイ
３４  キーボード・マウス
３５  ＬＡＮカード
３６  ＣＤ−ＤＶＤドライブ
３７  ＣＤ−ＲＯＭ
３００受信処理部
３０１コンテンツ受信部
３０２コンテンツ表示部
３０３リンク情報受信部
３０４ティッカ表示部
３０５ＷＷＷブラウザ部
３０６受信処理部
３０７マーカ処理部
３０８受信処理部
３０９リンク情報記憶処理部
３１０リンク情報読出部
４    付帯情報ファイル
４０  タグ
４１  アドレス情報ファイル
４２  リンク情報ファイル
４３  ハイパーリンク表題
４４  ＵＲＬ
４５  リンク情報が流れるタイムライン
４６  付帯情報ファイル
４７  タグ
４８  時間マーカ
４９  リンク情報ファイル
４００時間マーカ属性
４０１ハイパーリンク表題
４０２ハイパーリンク動画
４０３ハイパーリンク静止画
４０４字幕
４０５トピック
４０６ハイパーリンク表題
４０７フレームタグ
４０８トピック
Ｔ    字幕の時間
５    コンテンツ表示窓
５０  再生開始ボタン
５１  動画が流れるタイムライン
５２  現時点表示
５３  コンテンツ表示窓
５４  コンテンツ表示窓
５５  テレビ画面
５６  字幕表示部
５７  フレーム
６    ティッカ表示窓
６−１垂直設置部
６−２水平設置部
６０  設定ボタン
６１  マウスカーソル
６２  ティッカ表示窓
６３  ティッカ表示窓
６４  ティッカ表示窓
６５  ティッカ表示部
７    コンテンツ選択窓
７０  検索されたタイトル
７１  タイトル
８    中継サーバ
８０  ＣＰＵ
８１  メモリ
８２  ハードディスク
８３  ディスプレイ
８４  キーボード・マウス
８５  ＬＡＮカード
８６  ＣＤ−ＤＶＤドライブ
８７  ＣＤ−ＲＯＭ
８００配信処理部
８０１コンテンツ転送部
８０２付帯情報抽出部
８０３リンク情報生成部
８０４リンク情報送信部
８０５嗜好情報処理部
８０６広告視聴数集計部
８０７リンク情報合成部
９    ＯＳ
９０  配信処理プログラム
９１  コンテンツ受信プログラム
９２  コンテンツ転送プログラム
９３  付帯情報抽出プログラム
９４  アドレス情報記憶部
９５  リンク情報生成プログラム
９６  リンク情報送信プログラム
【図１】
0005229459.tif 000002
【図２】
0005229459.tif 000003
【図３】
0005229459.tif 000004
【図４】
0005229459.tif 000005
【図５】
0005229459.tif 000006
【図６】
0005229459.tif 000007
【図７】
0005229459.tif 000008
【図８】
0005229459.tif 000009
【図９】
0005229459.tif 000010
【図１０】
0005229459.tif 000011
【図１１】
0005229459.tif 000012
【図１２】
0005229459.tif 000013
【図１３】
0005229459.tif 000014
【図１４】
0005229459.tif 000015
【図１５】
0005229459.tif 000016
【図１６】
0005229459.tif 000017
【図１７】
0005229459.tif 000018
【図１８】
0005229459.tif 000019
【図１９】
0005229459.tif 000020
【図２０】
0005229459.tif 000021
【図２１】
0005229459.tif 000022
【図２２】
0005229459.tif 000023
【図２３】
0005229459.tif 000024
【図２４】
0005229459.tif 000025
【図２５】
0005229459.tif 000026
【図２６】
0005229459.tif 000027
【図２７】
0005229459.tif 000028
【図２８】
0005229459.tif 000029